【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
回路基板上に配設されているプロセッサと、
前記プロセッサに結合されているコンピュータ可読媒体であって、前記プロセッサによって実行可能なソフトウェア命令を伝達する前記コンピュータ可読媒体と、
第１のケーブルを介してポンプ制御器と通信するために前記プロセッサに結合されている第１のデータ通信インターフェースと、第２のケーブルを介して制御装置と通信するために前記プロセッサに結合されている第２のデータ通信インターフェースと、を含んでいる少なくとも２つのデータ通信インターフェースと、
を備えていることを特徴とする入出力インターフェース装置。
【請求項２】
前記第１のデータ通信インターフェースと前記第２のデータ通信インターフェースとが、異なるデータ通信プロトコールを実装していることを特徴とする請求項１に記載の入出力インターフェース装置。
【請求項３】
前記第１のデータ通信インターフェースが、
データを前記ポンプ制御器に送信するための直列データ送信ラインと、
データを前記ポンプ制御器から受信するための直列データ受信ラインと、
同期クロック信号を伝達するためのクロックラインと、
スレーブイネーブルラインと、
電力／アースラインと、
を備えていることを特徴とする請求項２に記載の入出力インターフェース装置。
【請求項４】
前記第１のケーブルが、前記直列データ送信ラインと、前記直列データ受信ラインと、前記クロックラインと、前記スレーブイネーブルラインと、前記電力／アースラインとをバンドルしていることを特徴とする請求項３に記載の入出力インターフェース装置。
【請求項５】
前記第１のケーブルが、１５個以下の伝導体を有していることを特徴とする請求項４に記載の入出力インターフェース装置。
【請求項６】
前記第１のケーブルが、３メートルより長い長さに延長可能とされることを特徴とする請求項４に記載の入出力インターフェース装置。
【請求項７】
前記第１のデータ通信インターフェースが、前記ポンプ制御器との間でデータを送受信するための個別通信ラインを備えており、
前記個別通信ラインそれぞれが、前記ポンプ制御器の機能に関連した個別信号を伝達することを特徴とする請求項２に記載の入出力インターフェース装置。
【請求項８】
前記第２のデータ通信インターフェースが、前記制御装置との間でデータを送受信するための個別通信ラインを備えており、
前記個別通信ラインそれぞれが、前記ポンプ制御器の機能に関連した個別信号を伝達することを特徴とする請求項２に記載の入出力インターフェース装置。
【請求項９】
前記第２のデータ通信インターフェースが、前記制御装置に対する直列接続を提供することを特徴とする請求項２に記載の入出力インターフェース装置。
【請求項１０】
前記ソフトウェア命令が、直列通信のためのパケット内のビットに対して個別ライン信号をマップするために変換可能とされることを特徴とする請求項１に記載の入出力インターフェース装置。
【請求項１１】
少なくとも１つのポンプ制御器を少なくとも１つの制御装置と結合するための入出力システムにおいて、
第１の入出力インターフェース装置が、
回路基板上に配設されているプロセッサと、
前記プロセッサに結合されているコンピュータ可読媒体であって、前記プロセッサによって実行可能なソフトウェア命令を伝達するコンピュータ可読媒体と、
少なくとも１つの前記ポンプ制御器と通信するために前記プロセッサに結合されている第１のデータ通信インターフェースと、少なくとも１つの前記制御装置と通信するために前記プロセッサに結合されている第２のデータ通信インターフェースと、を有している少なくとも２つのデータ通信インターフェースと、
を備えていることを特徴とする入出力システム。
【請求項１２】
前記第１のデータ通信インターフェースと前記第２のデータ通信インターフェースとが、異なるデータ通信プロトコールを実装していることを特徴とする請求項１１に記載の入出力システム。
【請求項１３】
前記第１の入出力インターフェース装置が、少なくとも１つの前記ポンプ制御器と通信するために前記プロセッサに結合されている複数の前記第１のデータ通信インターフェースを備えていることを特徴とする請求項１２に記載の入出力システム。
【請求項１４】
前記第１の入出力インターフェース装置が、少なくとも１つの前記制御装置と通信するために前記プロセッサに結合されている複数の前記第２のデータ通信インターフェースを備えていることを特徴とする請求項１２に記載の入出力システム。
【請求項１５】
前記ソフトウェア命令が、直列通信のためのパケット内のビットに対して個別ライン信号をマップするために変換可能とされることを特徴とする請求項１２に記載の入出力システム。
【請求項１６】
少なくとも１つのポンプ制御器を少なくとも１つの制御装置と結合するための方法において、
第１の入出力インターフェースモジュールを回路基板上に実装するステップであって、前記第１の入出力インターフェースモジュールが、プロセッサと、前記プロセッサに結合されていると共に、前記プロセッサによって実行可能なソフトウェア命令を伝達するコンピュータ可読媒体と、少なくとも１つの前記ポンプ制御器及び少なくとも１つの前記制御装置と通信するために前記プロセッサに結合されている少なくとも２つの通信インターフェースとを備えており、少なくとも２つの前記通信インターフェースそれぞれが複数の通信ラインを提供している、前記ステップと、
有限数の伝導体を有しているケーブル内に前記複数の通信ラインをバンドルするステップと、
有限数の前記伝導体を収容するための、少なくとも１つの直列通信プロトコールを含む少なくとも２つのデータ通信プロトコールを備えている、前記第１の入出力インターフェースモジュールを構成するステップと、
を備えていることを特徴とする方法。
【請求項１７】
直列通信のためのパケット内のビットに対して個別ライン信号をマップするように、前記第１の入出力インターフェースモジュールを構成するステップを備えていることを特徴とする請求項１６に記載の方法。
【請求項１８】
第１のデータ通信プロトコールに従って、前記制御装置からの信号を解釈し、第２のデータ通信プロトコールに従って、対応する信号を前記ポンプ制御器に対してアサートするように、及び、前記第２のデータ通信プロトコールに従って、前記ポンプ制御器からの信号を解釈し、前記第１のデータ通信プロトコールに従って、対応する信号を前記制御装置に対してアサートするように、前記第１の入出力インターフェースモジュールを構成するステップを備えていることを特徴とする請求項１６に記載の方法。
【請求項１９】
前記制御装置からの信号を利用することによって、前記ポンプ制御器がモータを移動させることについての必要性及び対応するプロセスを判断するように、前記第１の入出力インターフェースモジュールを構成するステップを備えていることを特徴とする請求項１６に記載の方法。
【請求項２０】
前記制御装置から受信した信号を利用することによって、模擬信号を生成し、前記模擬信号を前記制御装置に対して送信し、これにより１つ以上のエラーを防止するように、前記第１の入出力インターフェースモジュールを構成するステップを備えていることを特徴とする請求項１６に記載の方法。